(57)【要約】【課題】コンタクトの組立が容易であり、コンタクトのリードを速やかに外観検査可能とする複数のメモリカード用コネクタを提供する。【解決手段】ハウジング４は、カバー３で蓋われ、ＳＤカード１とメモリースティックカード２が共用されるカード挿入口４１を有するカード保持部４２が形成される。ＳＤカード１はカード挿入口４１から近い位置で停止し、メモリースティックカード２はカード挿入口４１から遠い位置で停止する。カンチレバーコンタクト５は面上接続端子１Ａに接触する第１接点５１を有し、第１リード部５２は停止壁４３から延出する。カンチレバーコンタクト６は面上接続端子２Ａに接触する第２接点６１を有し、第２リード部６２は停止壁４３から延出する。複数個の第１リード部５２と複数個の第２リード部６２とが停止壁４３から平行に延出している。【選択図】        図６
2005166377.tif 000002
【特許請求の範囲】
【請求項１】
端部に面上接続端子が配列されていて挿入方向の長さが少なくとも異なる二種類のメモリカードのいずれかが挿入されることによって当該メモリカードと電気的に接続される共用型のメモリカード用コネクタであって、
カバーで蓋われることによって前記二種類のメモリカードが共用して挿入されるカード挿入口を有している収納空間からなる概薄直方体形状のカード保持部が形成されており、短尺の前記メモリカードは当該面上接続端子が前記カード挿入口から近い位置で停止するように保持され、長尺の前記メモリカードは当該面上接続端子が前記カード挿入口から遠い位置で停止するように保持されるハウジングと、
前記短尺のメモリカードにおける面上接続端子に接触する第１接点を有しており、当該第１接点が前記カード保持部に配置されており、当該第１接点に対向してはんだ接合される第１リード部は前記カード挿入口と対向する停止壁から延出している複数個の第１のカンチレバーコンタクトと、
前記長尺のメモリカードにおける面上接続端子に接触する第２接点を有しており、当該第２接点が前記カード保持部に配置されており、当該第２接点に対向してはんだ接合される第２リード部は前記カード挿入口と対向する停止壁から延出している複数個の第２のカンチレバーコンタクトと、を備えており、
前記複数個の第１のカンチレバーコンタクトと前記複数個の第２のカンチレバーコンタクトとが平行となるように前記ハウジングに配列されていることを特徴とするメモリカード用コネクタ。
【請求項２】
前記複数個の第１リード部と前記複数個の第２リード部とが平行となるように前記停止壁から延出していることを特徴とする請求項１記載のメモリカード用コネクタ。
【請求項３】
前記複数個の第１リード部と前記複数個の第２リード部とが一定の間隔を空けて対向配置されていることを特徴とする請求項１又は２のいずれかに記載のメモリカード用コネクタ。
【請求項４】
前記カード挿入口から挿入される前記短尺のメモリカードにおいて対向する側面が案内される一対の溝が前記カード保持部において対向する一対の内壁に形成されており、当該短尺のメモリカードにおける面上接続端子が前記カード挿入口から近い位置で停止するように当該一対の溝にそれぞれ停止端が設けられていることを特徴とする請求項１から３のいずれかに記載のメモリカード用コネクタ。
【請求項５】
前記第１接点を有する第１自由端部に近接する第１固定端部を保持するための複数の第１矩形溝が前記カード保持部の底面に形成されており、
前記第１リード部に近接する第２固定端部を保持するための複数の第２矩形溝が前記カード保持部の底面と対向するハウジングの底面に形成されており、
前記複数の第１矩形溝と前記複数の第２矩形溝とが隔絶される貫通穴が前記カード保持部の底面に形成されており、
前記第１のカンチレバーコンタクトは前記貫通穴に当該第１自由端部が差し込まれ、前記第１固定端部と前記第２固定端部とが前記第１矩形溝と前記第２矩形溝とに協動して圧入されることを特徴とする請求項１から４のいずれかに記載のメモリカード用コネクタ。
【請求項６】
前記カード挿入口から挿入される前記長尺のメモリカードにおいて対向する側面が前記カード保持部において対向する一対の内壁で案内され、当該長尺のメモリカードが前記停止壁に当接することにより当該長尺のメモリカードにおける面上接続端子が前記カード挿入口から遠い位置で停止されることを特徴とする請求項１から５のいずれかに記載のメモリカード用コネクタ。
【請求項７】
前記第２接点を有する第２自由端部に連続する第３固定端部を保持するための複数の矩形穴が停止壁に形成されており、
前記複数の矩形穴は前記カード挿入口に向けて貫通しており、
前記第１のカンチレバーコンタクトは当該第２自由端部が前記カード挿入口に向けて前記矩形穴に差し込まれ、前記第３固定端部が前記矩形穴に圧入されることを特徴とする請求項１から６のいずれかに記載のメモリカード用コネクタ。
【請求項８】
前記短尺のメモリカードは、ＳＤ（Ｓｅｃｕｒｅ  Ｄｉｇｉｔａｌ）カードを含むことを特徴とする請求項１から５のいずれかに記載のメモリカード用コネクタ。
【請求項９】
前記長尺のメモリカードは、メモリースティックカードを含むことを特徴とする請求項１から３及び６又は７のいずれかに記載のメモリカード用コネクタ。
【発明の詳細な説明】
【技術分野】
【０００１】
本発明は、メモリカード用コネクタに関する。特に、端部に面上接続端子が配列されていて挿入方向の長さが少なくとも異なる二種類のメモリカードのいずれかが挿入されることによって当該メモリカードと電気的に接続される共用型のメモリカード用コネクタに関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、携帯電話機やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
フレキシブルディスク（ＦＤ）や光磁気ディスク（ＭＯ）等のディスク型の記憶装置に比較して、このメモリカードは記憶容量が小さく、又、高価であるとされてきた。しかし、近年の技術進歩やメモリカードを使用する機器の普及に伴う量産効果により、最大で１２８ＭＢ程度の大記憶容量となり、低価格となってきている。
【０００４】
更に、このメモリカードは、データの読み書きにＦＤやＭＯ等のように駆動装置を必要としないというメリットがあるため、消費電力や携帯性が重要視されるデジタルカメラやノート型パソコン、携帯音楽プレーヤーには好適である。
【０００５】
このような記録用のメモリカードとして、例えば、ＳＤ（Ｓｅｃｕｒｅ  Ｄｉｇｉｔａｌ）カード、メモリースティックカード、スマートメディア、ＭＭＣ（Ｍｕｌｔｉｍｅｄｉａ  Ｃａｒｄ）等が現存している。又、情報管理用のメモリカードとして、例えば、携帯電話機に搭載されるＩＣカードとなるＳＩＭ（Ｓｕｂｓｃｒｉｂｅｒ  Ｉｄｅｎｔｉｆｙ  Ｍｏｄｕｌｅ：加入者識別モジュール）カードがある。
【０００６】
そして、これら形状や面上接続端子の配列が異なる複数種類のメモリカードが同時装着可能な複合型のメモリカード用コネクタが求められている。又、複数種類のメモリカードのいずれかのメモリカードが装着可能な共用型のメモリカード用コネクタが求められている。
【０００７】
前述の複合型コネクタとして、外形および面上接続端子の配置位置が異なるメモリースティックカードとスマートメディアとを収容可能なメモリカード用コネクタであって、メモリースティックカードを収容する第１のスロット及びスマートメディアを収容する第２のスロットが上下に配置されるようコネクタハウジングを構成するメモリカード用コネクタが発明されている（例えば、特許文献１参照）。
【０００８】
特許文献１によるメモリカード用コネクタは、メモリースティックカードに接触する複数の第１コンタクト端子は当該はんだ接合部がコネクタハウジングの前面側および後面側の一方側に位置するように第１コンタクト端子を配置している。そして、スマートメディアに接触する複数の第２コンタクト端子は当該はんだ接合部がコネクタハウジングの前面側および後面側の他方側に位置するように、第２コンタクト端子を第１コンタクト端子と逆向きに配置するようにしている。
【０００９】
特許文献１によるメモリカード用コネクタは、プリント基板におけるコネクタの占有面積を小さくできるとともに、コンタクト端子のレイアウト作業、はんだ付け作業および修理作業などを容易になし得るとしている。
【００１０】
又、前述の複合型コネクタとして、ＭＭＣとＳＩＭカードの面上接続端子がコネクタハウジング内に配されたコンタクト端子と当接するように、コネクタハウジング内に保持するメモリカード用コネクタであって、ＭＭＣ用のコンタクト端子が配されかつＭＭＣを収容する第１カード収容部と、ＳＩＭカード用のコンタクト端子が配されかつＳＩＭカードを収容する第２カード収容部と、を上下に配置するメモリカード用コネクタが発明されている（例えば、特許文献２参照）。
【００１１】
特許文献２によるメモリカード用コネクタは、ＭＭＣ用のコンタクト端子とＳＩＭカード用のコンタクト端子の配設方向が略直角になるようにコネクタハウジングを構成している。更に、ＳＩＭカードより外形の大きいＭＭＣが収容される第１カード収容部をコネクタハウジングの下側に配し、ＳＩＭカードが収容される第２カード収容部をコネクタハウジングの上側に配している。
【００１２】
特許文献２によるメモリカード用コネクタは、コネクタハウジングの薄型化を可能にするとしている。
【特許文献１】特開２００１−３１３１０７号公報
【特許文献２】特開２００２−１３４２３４号公報
【発明の開示】
【発明が解決しようとする課題】
【００１３】
図８は、特許文献１による発明において、両メモリカード用のコンタクト端子の配置状態を示す平面図である。本願の図８は、特許文献１の図９に対応している。
【００１４】
図８において、メモリースティックカードに接触する複数の第１コンタクト端子８１は、当該第１コンタクト端子８１のはんだ接合部８１Ａがコネクタハウジングの前面側に延出している。一方、スマートメディアに接触する複数の第２コンタクト端子８２は、当該第２コンタクト端子８２のはんだ接合部８２Ａがコネクタハウジングの後面側に延出している。
【００１５】
図８において、第１コンタクト端子８１は、コネクタハウジングの前面側から後面側に向けてコネクタハウジングに圧入される。一方、第２コンタクト端子８２は、コネクタハウジングの後面側から前面側に向けてコネクタハウジングに圧入される。
【００１６】
図８に示されたリードとなるはんだ接合部８１Ａ及び８２Ａは、幅も狭く軟弱であるのでリード曲がりが発生することがある。コネクタハウジングに組み立てられて、当該コネクタハウジングから延出しているはんだ接合部８１Ａ及び８２Ａにリード曲がりがあると、はんだ接合部８１Ａ及び８２Ａをプリント基板に形成されているパッド又は、エッジコネクタに正しくはんだ接合できない。
【００１７】
このようなはんだ接合不良を防止するため、組立完了したメモリカード用コネクタは、はんだ接合部８１Ａ群及びはんだ接合部８２Ａ群が例えば、ＣＣＤカメラで撮像され、リード曲がりの有無が画像認識される。
【００１８】
しかしながら、図８に示されたメモリカード用コネクタは、はんだ接合部８１Ａ群とはんだ接合部８２Ａ群が相反するように離間しているので、ＣＣＤカメラで一度に撮像できず、２回に分けて撮像するので検査時間を要するという問題がある。この検査時間の増大は、例えば全数検査の場合は、メモリカード用コネクタ１個当たりのコスト上昇となる。
【００１９】
更に、図８に示されたメモリカード用コネクタは、第１コンタクト端子８１と第２コンタクト端子８２とが対向するようにコネクタハウジングに圧入されるので組立作業性が良くないという問題もある。二種類のコンタクト端子が同一方向からコネクタハウジングに圧入される構造を有するメモリカード用コネクタが望まれる。
【００２０】
図９は、特許文献２による発明において、メモリカード用コネクタの実施形態を示すものであり、開閉カバーが開いた状態を示す斜視図である。本願の図９は、特許文献２の図１に対応している。
【００２１】
図９において、ＭＭＣを収容する第１カード収容部９１は、コネクタハウジング９０の下段に形成されている。一方、ＳＩＭカードを収容する第２カード収容部９２は、コネクタハウジング９０の上段に形成されている。
【００２２】
図９において、ＭＭＣは図中矢印Ａの方向から第１カード収容部９１に挿入され、ＭＭＣ用の図示されないコンタクト端子は、当該ＭＭＣ用のコンタクト端子のはんだ接合部９３Ａが第１カード収容部９１の挿入口と対向する側に延出している。
【００２３】
一方、図９において、ＳＩＭカードは第２カード収容部９２に装填される。第２カード収容部９２の底面には、長短二種類のコンタクト端子９４がその接点を対向するように配置されている。ＳＩＭカード用のコンタクト端子９４は、はんだ接合部９４Ａを相反するようにコネクタハウジング９０から延出している。
【００２４】
図９において、開閉カバー９５が閉じられて、第２カード収容部９２を蓋うことによりＳＩＭカードと複数のコンタクト端子９４とが接続される。なお、開閉カバー９５はコネクタハウジング９０にロック可能となっている。
【００２５】
図９において、組立完了したメモリカード用コネクタは、はんだ接合部９３Ａ群及び相反配置されているはんだ接合部９４Ａ群が例えば、ＣＣＤカメラで撮像され、リード曲がりの有無が画像認識される。図９においては、はんだ接合部９３Ａ群及びはんだ接合部９４Ａ群をＣＣＤカメラで一度に撮像できず、３回に分けて撮像するので検査時間を要するという問題がある。
【００２６】
更に、図９に示されたメモリカード用コネクタは、ＭＭＣとＳＩＭカードの挿入方向が異なっている。このようなメモリカード用コネクタは電子機器に組み込まれた場合に、当該電子機器の筐体設計に制約を加える。二種類のメモリカードの挿入方向を同じとし、設計の自由度が高いメモリカード用コネクタが望まれる。
【００２７】
本発明は、上述した課題を解決すべく、複数のメモリカードが共用されるメモリカード用コネクタにおいて、コンタクトの組立が容易であり、コンタクトのリードを速やかに外観検査可能とするメモリカード用コネクタを提供することを目的とする。
【課題を解決するための手段】
【００２８】
発明者は、上記目的を満たすため、二種類のコンタクトを同一方向からハウジングに装着する構造とし、以下のような新たなメモリカード用コネクタを発明した。
【００２９】
（１）  端部に面上接続端子が配列されていて挿入方向の長さが少なくとも異なる二種類のメモリカードのいずれかが挿入されることによって当該メモリカードと電気的に接続される共用型のメモリカード用コネクタであって、カバーで蓋われることによって前記二種類のメモリカードが共用して挿入されるカード挿入口を有している収納空間からなる概薄直方体形状のカード保持部が形成されており、短尺の前記メモリカードは当該面上接続端子が前記カード挿入口から近い位置で停止するように保持され、長尺の前記メモリカードは当該面上接続端子が前記カード挿入口から遠い位置で停止するように保持されるハウジングと、前記短尺のメモリカードにおける面上接続端子に接触する第１接点を有しており、当該第１接点が前記カード保持部に配置されており、当該第１接点に対向してはんだ接合される第１リード部は前記カード挿入口と対向する停止壁から延出している複数個の第１のカンチレバーコンタクトと、前記長尺のメモリカードにおける面上接続端子に接触する第２接点を有しており、当該第２接点が前記カード保持部に配置されており、当該第２接点に対向してはんだ接合される第２リード部は前記カード挿入口と対向する停止壁から延出している複数個の第２のカンチレバーコンタクトと、を備えており、前記複数個の第１のカンチレバーコンタクトと前記複数個の第２のカンチレバーコンタクトとが平行となるように前記ハウジングに配列されていることを特徴とするメモリカード用コネクタ。
【００３０】
（２）  前記複数個の第１リード部と前記複数個の第２リード部とが平行となるように前記停止壁から延出していることを特徴とする（１）記載のメモリカード用コネクタ。
【００３１】
（３）    記複数個の第１リード部と前記複数個の第２リード部とが一定の間隔を空けて対向配置されていることを特徴とする（１）又は（２）のいずれかに記載のメモリカード用コネクタ。
【００３２】
（４）  前記カード挿入口から挿入される前記短尺のメモリカードにおいて対向する側面が案内される一対の溝が前記カード保持部において対向する一対の内壁に形成されており、当該短尺のメモリカードにおける面上接続端子が前記カード挿入口から近い位置で停止するように当該一対の溝にそれぞれ停止端が設けられていることを特徴とする（１）から（３）のいずれかに記載のメモリカード用コネクタ。
【００３３】
（５）  前記第１接点を有する第１自由端部に近接する第１固定端部を保持するための複数の第１矩形溝が前記カード保持部の底面に形成されており、前記第１リード部に近接する第２固定端部を保持するための複数の第２矩形溝が前記カード保持部の底面と対向するハウジングの底面に形成されており、前記複数の第１矩形溝と前記複数の第２矩形溝とが隔絶される貫通穴が前記カード保持部の底面に形成されており、前記第１のカンチレバーコンタクトは前記貫通穴に当該第１自由端部が差し込まれ、前記第１固定端部と前記第２固定端部とが前記第１矩形溝と前記第２矩形溝とに協動して圧入されることを特徴とする（１）から（４）のいずれかに記載のメモリカード用コネクタ。
【００３４】
（６）  前記カード挿入口から挿入される前記長尺のメモリカードにおいて対向する側面が前記カード保持部において対向する一対の内壁で案内され、当該長尺のメモリカードが前記停止壁に当接することにより当該長尺のメモリカードにおける面上接続端子が前記カード挿入口から遠い位置で停止されることを特徴とする（１）から（５）のいずれかに記載のメモリカード用コネクタ。
【００３５】
（７）  前記第２接点を有する第２自由端部に連続する第３固定端部を保持するための複数の矩形穴が停止壁に形成されており、前記複数の矩形穴は前記カード挿入口に向けて貫通しており、前記第１のカンチレバーコンタクトは当該第２自由端部が前記カード挿入口に向けて前記矩形穴に差し込まれ、前記第３固定端部が前記矩形穴に圧入されることを特徴とする（１）から（６）のいずれかに記載のメモリカード用コネクタ。
【００３６】
（８）  前記短尺のメモリカードは、ＳＤ（Ｓｅｃｕｒｅ  Ｄｉｇｉｔａｌ）カードを含むことを特徴とする（１）から（５）のいずれかに記載のメモリカード用コネクタ。
【００３７】
（９）  前記長尺のメモリカードは、メモリースティックカードを含むことを特徴とする（１）から（３）及び（６）又は（７）のいずれかに記載のメモリカード用コネクタ。
【００３８】
（１）記載の発明によれば、「端部に面上接続端子が配列されていて挿入方向の長さが少なくとも異なる二種類のメモリカードのいずれかが挿入されることによって当該メモリカードと電気的に接続される共用型のメモリカード用コネクタであって、カバーで蓋われることによって前記二種類のメモリカードが共用して挿入されるカード挿入口を有している収納空間からなる概薄直方体形状のカード保持部が形成されており、短尺の前記メモリカードは当該面上接続端子が前記カード挿入口から近い位置で停止するように保持され、長尺の前記メモリカードは当該面上接続端子が前記カード挿入口から遠い位置で停止するように保持されるハウジングと、前記短尺のメモリカードにおける面上接続端子に接触する第１接点を有しており、当該第１接点が前記カード保持部に配置されており、当該第１接点に対向してはんだ接合される第１リード部は前記カード挿入口と対向する停止壁から延出している複数個の第１のカンチレバーコンタクトと、前記長尺のメモリカードにおける面上接続端子に接触する第２接点を有しており、当該第２接点が前記カード保持部に配置されており、当該第２接点に対向してはんだ接合される第２リード部は前記カード挿入口と対向する停止壁から延出している複数個の第２のカンチレバーコンタクトと、を備えており、前記複数個の第１のカンチレバーコンタクトと前記複数個の第２のカンチレバーコンタクトとが平行となるように前記ハウジングに配列されている」ことを特徴としてよい。
【００３９】
端部に面上接続端子が配列されていて挿入方向の長さが少なくとも異なる二種類のメモリカードは、ＩＣチップをカード型外殻に封止したカード形状に形成される。そして、短尺のメモリカードは挿入端部の底面に第１の面上接続端子群が配列されている記憶装置であってよく、長尺のメモリカードは挿入端部の底面に第２の面上接続端子群が配列されている記憶装置であってよい。
【００４０】
本発明による好適な実施態様において、メモリカード用コネクタに挿抜される短尺のメモリカードはＳＤカードを含んでよく、メモリカード用コネクタに挿抜される長尺のメモリカードはメモリースティックカードを含んでよい。
【００４１】
なお、ＳＤカードの外形寸法は、２４ｍｍ×３２ｍｍ×１．４ｍｍであり、メモリースティックカードの外形寸法は、２１.５ｍｍ×５０ｍｍ×２．８ｍｍである。ＳＤカードとメモリースティックカードとの挿入方向の長さは、１８ｍｍ異なっている。
【００４２】
ハウジングは絶縁性の合成樹脂材で成形されてよく、好適な実施態様において、このハウジングは、短尺のメモリカードと長尺のメモリカードとが収容されて共用される大きさを有する概薄直方体形状に形成されてよい。
【００４３】
そして、このハウジングに上面開放凹部が形成されている。両翼が直角に折り曲げられた薄金属板のカバーが当該上面開放凹部を蓋うことにより、前記二種類のメモリカードが共用して挿入されるカード挿入口を有している収納空間からなる概薄直方体形状のカード保持部が形成される。
【００４４】
第１及び第２のカンチレバーコンタクトは、ばねの働きが片持ち梁のコンタクトであって、この複数の第１及び第２のカンチレバーコンタクトは短尺と長尺のメモリカードに形成された第１及び第２の面上接続端子群と接触するように整列して配置されている。
【００４５】
更に、第１及び第２のカンチレバーコンタクトの固定端部は圧入等でハウジングにそれぞれ保持される。更に、固定端部の終縁部はこのメモリカード用コネクタが実装されるプリント基板にはんだ接合される第１リード部及び第２リード部となっており、このハウジングをプリント基板に保持する機能を担っている。
【００４６】
（２）記載の発明によれば、「前記複数個の第１リード部と前記複数個の第２リード部とが平行となるように前記停止壁から延出している」ことを特徴としてよい。
【００４７】
（３）記載の発明によれば、「記複数個の第１リード部と前記複数個の第２リード部とが一定の間隔を空けて対向配置されている」ことを特徴としてよい。
【００４８】
この発明によるメモリカード用コネクタは、ハウジング後部に延出するコンタクトのリード部がプリント基板を挟み込み、前記リード部がプリント基板にはんだ接合されることによって電気的に接続されるいわゆるストラドルマウント型（ｓｔｒａｄｄｌｅ  ｍｏｕｎｔ  ｔｙｐｅ）のコネクタであってよい。
【００４９】
このようなストラドルマウント型のプリント基板用コネクタは、実装高さを低くするいわゆる低背化が可能とされる。更に、狭ピッチのコンタクトをプリント基板にはんだ接合可能とするものである。
【００５０】
このように、複数個の第１リード部と複数個の第２リード部とが平行に一定の間隔をおいてハウジングの後部に延出しているメモリカード用コネクタは、第１リード部群と第２リード部群をＣＣＤカメラで一度に撮像することを可能とするものである。そして、リード曲がりの有無を検査する時間を短縮することができる。
【００５１】
好適な実施態様において、このメモリカード用コネクタは、「前記カード挿入口から挿入される前記短尺のメモリカードにおいて対向する側面が案内される一対の溝が前記カード保持部において対向する一対の内壁に形成されており、当該短尺のメモリカードにおける面上接続端子が前記カード挿入口から近い位置で停止するように当該一対の溝にそれぞれ停止端が設けられている」ことを特徴としてよい。
【００５２】
好適な実施態様において、このメモリカード用コネクタは、「前記カード挿入口から挿入される前記長尺のメモリカードにおいて対向する側面が前記カード保持部において対向する一対の内壁で案内され、当該長尺のメモリカードが前記停止壁に当接することにより当該長尺のメモリカードにおける面上接続端子が前記カード挿入口から遠い位置で停止される」ことを特徴としてよい。
【００５３】
このように、本発明によるメモリカード用コネクタは、短尺のメモリカード（例えば、ＳＤカード）と長尺のメモリカード（例えば、メモリースティックカード）とを同一方向から挿抜できる。したがって、本発明によるメモリカード用コネクタを組み込む電子機器の設計の自由度が確保される。
【００５４】
又、好適な実施態様において、このメモリカード用コネクタは、「前記第１接点を有する第１自由端部に近接する第１固定端部を保持するための複数の第１矩形溝が前記カード保持部の底面に形成されており、前記第１リード部に近接する第２固定端部を保持するための複数の第２矩形溝が前記カード保持部の底面と対向するハウジングの底面に形成されており、前記複数の第１矩形溝と前記複数の第２矩形溝とが隔絶される貫通穴が前記カード保持部の底面に形成されており、前記第１のカンチレバーコンタクトは前記貫通穴に当該第１自由端部が差し込まれ、前記第１固定端部と前記第２固定端部とが前記第１矩形溝と前記第２矩形溝とに協動して圧入される」ことを特徴としてよい。
【００５５】
そして、好適な実施態様において、このメモリカード用コネクタは、「前記第２接点を有する第２自由端部に連続する第３固定端部を保持するための複数の矩形穴が停止壁に形成されており、前記複数の矩形穴は前記カード挿入口に向けて貫通しており、前記第１のカンチレバーコンタクトは当該第２自由端部が前記カード挿入口に向けて前記矩形穴に差し込まれ、前記第３固定端部が前記矩形穴に圧入される」ことを特徴としてよい。
【００５６】
このように、本発明によるメモリカード用コネクタは、短尺のメモリカード（例えば、ＳＤカード）用の第１のカンチレバーコンタクトと、長尺のメモリカード（例えば、メモリースティックカード）用の第２のカンチレバーコンタクトとを同一方向からハウジングに圧入している。
【００５７】
このように、二種類のコンタクト端子が同一方向からコネクタハウジングに圧入される構造を有するメモリカード用コネクタは、コンタクト端子の組立作業性を改善している。
【発明の効果】
【００５８】
本発明によるメモリカード用コネクタは、複数個の第１リード部と複数個の第２リード部とが平行に一定の間隔をおいてハウジングの後部に延出しているので、リード部群をＣＣＤカメラで一度に撮像することができる。そして、リード曲がりの有無を検査する時間を短縮することができる。
【００５９】
更に、本発明のメモリカード用コネクタは、挿入方向の長さが少なくとも異なる二種類のメモリカードを同一方向から挿抜できる。したがって、本発明によるメモリカード用コネクタを組み込む電子機器の設計の自由度が確保される。又、二種類のコンタクト端子が同一方向からコネクタハウジングに圧入されるので、コンタクト端子の組立作業性を改善できる。
【発明を実施するための最良の形態】
【００６０】
以下、図面を参照して本発明を実施するための最良の形態を説明する。
【００６１】
図１は、本発明によるメモリカード用コネクタに使用されるＳＤカード１の外観図である。図１（ａ）はＳＤカード１の平面図、図１（ｂ）は図１（ａ）の正面図、図１（ｃ）は図１（ａ）の側面図である。
【００６２】
図１の実施形態に示されるように、ＳＤカード１の端部には７極の面上接続端子１Ａが配列されている。面上接続端子１Ａ側には、このＳＤカード１の誤挿入を防止するための直角三角形状の切り欠き部１Ｂが形成されている。ＳＤカード１の外形は２４ｍｍ×３２ｍｍであり、厚さは１．４ｍｍとなっている。本発明は、ＳＤカード１を短尺のメモリカードとした。
【００６３】
一方、図２は、本発明によるメモリカード用コネクタに使用されるメモリースティックカード２の外観図である。図２（ａ）はメモリースティックカード２の平面図、図２（ｂ）は図２（ａ）の正面図である。
【００６４】
図２の実施形態に示されるように、メモリースティックカード２の先端側には複数の凹部２Ｃが形成されており、これらの凹部２Ｃの底面に１０極の面上接続端子２Ａがそれぞれ配設されている。面上接続端子２Ａ側には、このメモリースティックカード２の誤挿入を防止するための直角三角形状の切り欠き部２Ｂが形成されている。
【００６５】
メモリースティックカード２の外形は２１．５ｍｍ×５０ｍｍであり、厚さは２.８ｍｍとなっている。本発明は、メモリースティックカード２を長尺のメモリカードとした。
【００６６】
図３は、本発明によるメモリカード用コネクタ（以下、コネクタと略称する）の一実施形態を示す斜視外観図である。図３のコネクタ１０において、符号３はカバー、符号４はハウジングである。
【００６７】
図３の実施形態において、カバー３は、両翼が直角に折り曲げられた薄金属板で形成されている。ハウジング４は絶縁性の合成樹脂材で概薄直方体形状に成形されている。そして、ハウジング４は上面開放凹部４０が形成されている。
【００６８】
図３の実施形態において、カバー３が上面開放凹部４０を蓋うことにより、ＳＤカード１（図１参照）とメモリースティックカード２（図２参照）とが、共用して挿入されるカード挿入口４１を有している収納空間からなる概薄直方体形状のカード保持部４２が形成される。
【００６９】
図３の実施形態において、ＳＤカード１における面上接続端子１Ａ（図１参照）と接触する後述する複数のカンチレバーコンタクト５は、カード挿入口４１に対向してハウジング４内に配列されている。複数のカンチレバーコンタクト５は、カード挿入口４１に対向する側面から延出して、後述するプリント基板２０にはんだ接合される第１リード部５２を備えている。
【００７０】
図３の実施形態において、メモリースティックカード２における面上接続端子２Ａ（図２参照）と接触する後述する複数のカンチレバーコンタクト６は、カード挿入口４１に対向してハウジング４内に配列されている。複数のカンチレバーコンタクト６は、カード挿入口４１に対向する側面から延出して、後述するプリント基板２０にはんだ接合される第２リード部６２を備えている。
【００７１】
図３の実施形態において、これら複数の第１リード部５２と複数の第２リード部６２は、それぞれの先端部が後述するプリント基板２０に挿入され易いように折り曲げられて屈曲している。そして、それぞれの屈曲部はプリント基板２０の両面に接触するように一定の間隔を空けて対向配置されている。
【００７２】
図３の実施形態において、一対の第１突起４４Ａ及び４４Ｂはカード挿入口４１に対向する側面から突出している。一対の第１突起４４Ａ及び４４Ｂは、後述するプリント基板２０の両面を把持する溝１４０がそれぞれ形成されている。溝１４０は、２組の複数の第１リード部５２及び第２リード部６２における対向間隔と同列となるように形成されている。一対の第１突起４４Ａ及び４４Ｂは、複数の第１リード部５２及び複数の第２リード部６２の両翼に配置されている。
【００７３】
更に、図３に示されるように、複数の第２突起４５Ａ及び４５Ｂは、カード挿入口４１に対向する側面に隣接して対向する両側面から相反するように突出している。そして、複数の第２突起４５Ａ及び４５Ｂは、後述するプリント基板２０におけるオモテ面が当接される支持面１５０を有している。
【００７４】
図４は、本発明によるコネクタ１０と、コネクタ１０が表面実装されるプリント基板２０の斜視外観図である。
【００７５】
図４の実施形態に示されるように、プリント基板２０は、矩形のスロット２１が形成されている。カード挿入口４１に対向する側面と、カード挿入口４１に対向する側面に隣接して対向する両側面とに、スロット２１が当接するように、コネクタ１０はプリント基板２０に組み立てられる。
【００７６】
又、矩形のスロット２１の縁部両面にはエッジコネクタ２２Ａ及び２２Ｂが形成されている。図４においては、エッジコネクタ２２Ｂは、エッジコネクタ２２Ａに遮られて明確には図示されていない。
【００７７】
図４の実施形態において、対向配置されている第１リード部５２及び第２リード部６２間に、プリント基板２０に両面形成されているエッジコネクタ２２Ａ及び２２Ｂが挿入される。そして、上側の第２リード部６２はオモテ面のエッジコネクタ２２Ａにはんだ接合され、下側の第１リード部５２はウラ面のエッジコネクタ２２Ｂにはんだ接合される。
【００７８】
図５は、図３に示されたカバー３を外した状態におけるコネクタ１０の斜視外観図である。図５の実施形態に示されるように、カード挿入口４１から挿入されるＳＤカード１（図１参照）において対向する側面が案内される一対の溝４２Ｃ及び４２Ｄが、カード保持部４２において対向する一対の内壁４２Ａ及び４２Ｂに形成されている。
【００７９】
相対向する溝４２Ｃ及び４２Ｄは、ＳＤカード１（図１参照）の横幅より僅かに広い間隔を有している。この溝４２Ｃ及び４２ＤにＳＤカード１の横幅が規制されて、ＳＤカード１における面上接続端子１Ａ（図１参照）と複数のカンチレバーコンタクト５との位置合わせが可能となる。
【００８０】
そして、ＳＤカード１における面上接続端子１Ａがカード挿入口４１から近い位置で停止するように一対の溝４２Ｃ及び４２Ｄにそれぞれ停止端４２Ｅ及び４２Ｆが設けられている。
【００８１】
図５に示されるように、カンチレバーコンタクト５は、板ばね接触子であって、板ばねの働きが片持梁のコンタクトである。この複数のカンチレバーコンタクト５はＳＤカード１（図１参照）の挿入方向と直交する方向に整列して配置されている。
【００８２】
一方、図５の実施形態に示されるように、カード挿入口４１から挿入されるメモリースティックカード２（図２参照）において対向する側面が、カード保持部４２において対向する一対の内壁４２Ａ及び４２Ｂで案内される。
【００８３】
対向する一対の内壁４２Ａ及び４２Ｂは、メモリースティックカード２（図２参照）の横幅より僅かに広い間隔を有している。そして、この内壁４２Ａ及び４２Ｂにメモリースティックカード２の横幅が規制されて、メモリースティックカード２における面上接続端子２Ａ（図２参照）と複数のカンチレバーコンタクト６の位置合わせが可能となる。
【００８４】
そして、メモリースティックカード２が、カード挿入口４１に対向する停止壁４３に当接することにより、メモリースティックカード２における面上接続端子２Ａがカード挿入口４１から遠い位置で停止される。
【００８５】
図５に示されるように、カンチレバーコンタクト６は、板ばね接触子であって、板ばねの働きが片持梁のコンタクトである。この複数のカンチレバーコンタクト６はメモリースティックカード２（図２参照）の挿入方向と直交する方向に整列して配置されている。
【００８６】
図５の実施形態において、複数個のカンチレバーコンタクト５は、ＳＤカード１における面上接続端子１Ａ（図１参照）に接触する第１接点５１を有している。複数個のカンチレバーコンタクト５は、第１接点５１がカード保持部４２に配置されている。第１接点５１に対向してはんだ接合される第１リード部５２は、カード挿入口４１と対向する停止壁４３から延出している。
【００８７】
又、図５の実施形態において、複数個のカンチレバーコンタクト６は、メモリースティックカード２における面上接続端子２Ａ（図２参照）に接触する第２接点６１を有している。複数個のカンチレバーコンタクト６は、第２接点６１がカード保持部４２に配置されている。第２接点６１に対向してはんだ接合される第２リード部６２は、カード挿入口と対向する停止壁４３から延出している。
【００８８】
そして、図５の実施形態において、複数個のカンチレバーコンタクト５と複数個のカンチレバーコンタクト６とが平行となるようにハウジング４に配列されている。又、複数個の第１リード部５２と複数個の第２リード部６２とが平行となるように停止壁４３から延出している。更に、複数個の第１リード部５２と複数個の第２リード部６２とが一定の間隔を空けて対向配置されている。
【００８９】
次に、図６によりコネクタ１０の構成を更に説明する。図６（ａ）は図５に示されたカバー３を外した状態におけるコネクタ１０の平面図であり、一部を断面としている。図６（ｂ）は図６（ａ）の正面図、図６（ｃ）は図６（ａ）の右側面図である。又、図６（ｄ）は図６（ａ）の背面図、図６（ｅ）は図６（ａ）の底面図である。
【００９０】
図６（ａ）に最もよく示されているように、第１接点５１を有する第１自由端部５Ａに近接する第１固定端部５Ｂを保持するための複数の第１矩形溝４２１が、カード保持部４２の底面４２０に形成されている。
【００９１】
又、図６（ｅ）に最もよく示されているように、第１リード部５２に近接する第２固定端部５Ｃを保持するための複数の第２矩形溝４２２が、カード保持部４２の底面４２０と対向するハウジング４の底面４２３に形成されている。
【００９２】
そして、図６の実施形態において、複数の第１矩形溝４２１と複数の第２矩形溝４２２とが隔絶される貫通穴４２４がカード保持部４２の底面４２０に形成されている。カンチレバーコンタクト５は、貫通穴４２４に第１自由端部５Ａが差し込まれ、第１固定端部５Ｂと第２固定端部５Ｃとが、第１矩形溝４２１と第２矩形溝４２２とに協動して圧入される。
【００９３】
一方、図６の実施形態において、第２接点６１を有する第２自由端部６Ａに連続する第３固定端部６Ｂを保持するための複数の矩形穴４３１が、停止壁４３に形成されている。複数の矩形穴４３１はカード挿入口４１に向けて貫通しており、カンチレバーコンタクト６は、第２自由端部６Ａがカード挿入口４１に向けて矩形穴４３１に差し込まれ、第３固定端部６Ｂが矩形穴４３１に圧入される。
【００９４】
図６の実施形態において、図６（ｅ）に最もよく示されているように、ハウジング４における溝４２Ｄ側に板ばね７Ａが配置されている。板ばね７Ａは、その自由端が溝４２Ｄから突出している。一対の溝４２Ｃ及び４２Ｄに挿入されたＳＤカード１（図１参照）における一方の側面を板ばね７Ａは溝４２Ｃ側に付勢する。
【００９５】
板ばね７Ａは、はんだ接合されるリード部７１Ａをハウジング４から延出している。リード部７１Ａの底面は、図４に示されたプリント基板２０のパッド２３Ａにはんだ接合される。
【００９６】
又、図６（ｅ）に最もよく示されているように、ハウジング４における溝４２Ｃ側には、対をなす可動ばね板７Ｂと固定板７Ｃとが配置されている。ＳＤカード１（図１参照）が挿入されると、対をなす可動ばね板７Ｂと固定板７Ｃとは、その端部同士が接触する検出スイッチとなっている。
【００９７】
可動ばね板７Ｂと固定板７Ｃとは、はんだ接合されるリード部７１Ｂ及び７１Ｃをハウジング４から延出している。リード部７１Ｂ及び７１Ｃの底面は、図４に示されたプリント基板２０の図示されないパッドにはんだ接合される。
【００９８】
図６の実施形態において、図６（ａ）に最もよく示されているように、ハウジング４における内壁４２Ａ側に板ばね７Ｄが配置されている。板ばね７Ｄは、その自由端が内壁４２Ａから突出している。一対の内壁４２Ａ及び４２Ｂに案内されたメモリースティックカード２（図２参照）における一方の側面を板ばね７Ｄは内壁４２Ｂ側に付勢する。
【００９９】
板ばね７Ｄは、はんだ接合されるリード部７１Ｄをハウジング４から延出している。リード部７１Ｄは、図４に示されたプリント基板２０に形成されているエッジコネクタ２２Ｂにはんだ接合される。
【０１００】
又、図６（ｅ）に最もよく示されているように、ハウジング４における内壁４２Ｂ側には、対をなす可動ばね板７Ｅと固定板７Ｆとが配置されている。メモリースティックカード２（図２参照）が挿入されると、対をなす可動ばね板７Ｅと固定板７Ｆとは、その端部同士が接触する検出スイッチとなっている。
【０１０１】
可動ばね板７Ｅと固定板７Ｆとは、はんだ接合されるリード部７１Ｅ及び７１Ｆをハウジング４から延出している。リード部７１Ｅ及び７１Ｆの底面は、図４に示されたプリント基板２０のパッド２３Ｂにはんだ接合される。
【０１０２】
次に、本発明によるコネクタの作用を説明する。
【０１０３】
図７は、図６に示されたコネクタ１０の縦断面図であり、カンチレバーコンタクト５及び６がハウジング４に組み立てられていく過程の状態変化図である。
【０１０４】
図７（ａ）において、第１自由端部５Ａを先頭にしてカンチレバーコンタクト５が、ハウジング４に形成された貫通穴４２４に、差し込まれる。次に、カンチレバーコンタクト５は、図５に示されたカード保持部４２の底面４２０と平行に維持され、図７（ｂ）に示された状態となる。
【０１０５】
図７（ｂ）に示された状態から、カンチレバーコンタクト５が左方に移動されると、図６に示されたように、第１固定端部５Ｂと第２固定端部５Ｃとが、第１矩形溝４２１と第２矩形溝４２２とに協動して圧入され、図７（ｃ）に示されるカンチレバーコンタクト５の組立完了状態となる。
【０１０６】
一方、図６に示されたように、カンチレバーコンタクト６は、第２自由端部６Ａがカード挿入口４１に向けて矩形穴４３１に差し込まれ、次に、第３固定端部６Ｂが矩形穴に圧入され、図７（ｃ）に示されるカンチレバーコンタクト６の組立完了状態となる。
【０１０７】
このように、本発明によるコネクタは、少なくとも長さの異なる二種類のカンチレバーコンタクトが同一方向からハウジングに圧入されるので、コンタクト端子となるカンチレバーコンタクトの組立作業性を改善できる。
【０１０８】
更に、本発明によるコネクタは、図３に示されるように、挿入方向の長さが少なくとも異なる二種類のメモリカードを同一方向から挿抜できる。したがって、本発明によるコネクタを組み込む電子機器の設計の自由度が確保される。
【０１０９】
又、本発明によるコネクタは、図３から図６に示されるように、複数個の第１リード部と複数個の第２リード部とが平行に一定の間隔をおいてハウジングの後部に延出しているので、リード部群をＣＣＤカメラで一度に撮像することができる。そして、リード曲がりの有無を検査する時間を短縮することができる。
【図面の簡単な説明】
【０１１０】
【図１】本発明によるメモリカード用コネクタに使用される短尺のメモリカードとなるＳＤカードの外観図である。
【図２】本発明によるメモリカード用コネクタに使用される長尺のメモリカードとなるメモリースティックカードの外観図である。
【図３】本発明によるメモリカード用コネクタの一実施形態を示す斜視外観図である。
【図４】本発明によるメモリカード用コネクタと、メモリカード用コネクタが表面実装されるプリント基板の斜視外観図である。
【図５】図３に示されたカバーを外した状態における本発明によるメモリカード用コネクタの斜視外観図である。
【図６】図５に示されたカバーを外した状態における本発明によるメモリカード用コネクタの構成図である。
【図７】図６に示されたメモリカード用コネクタの縦断面図であり、二種類のカンチレバーコンタクトがハウジングに組み立てられていく過程の状態変化図である。
【図８】特許文献１による発明において、両メモリカード用のコンタクト端子の配置状態を示す平面図であり、特許文献１の図９に対応している図である。
【図９】特許文献２による発明において、メモリカード用コネクタの実施形態を示すものであり、開閉カバーが開いた状態を示す斜視図であり、特許文献２の図１に対応している図である。
【符号の説明】
【０１１１】
１    ＳＤカード（短尺のメモリカード）
１Ａ・２Ａ    面上接続端子
１Ｂ・２Ｂ    切り欠き部
２    メモリースティックカード（長尺のメモリカード）
２Ｃ    凹部
３    カバー
４    ハウジング
５・６    カンチレバーコンタクト
５Ａ    第１自由端部
５Ｂ    第１固定端部
５Ｃ    第２固定端部
６Ａ    第２自由端部
６Ｂ    第３固定端部
１０    メモリカード用コネクタ（コネクタ）
２０    プリント基板
２１    スロット
２２Ａ・２２Ｂ    エッジコネクタ
４０    上面開放凹部
４１    カード挿入口
４２    カード保持部
４２Ａ・４２Ｂ    内壁
４２Ｃ・４２Ｄ    溝
４２Ｅ・４２Ｆ    停止端
４３    停止壁
５１    第１接点
５２    第１リード部
６１    第２接点
６２    第２リード部
４２０    底面
４２１    第１矩形溝
４２２    第２矩形溝
４２３    底面
４２４    貫通穴
４３１    矩形穴
【図１】
2005166377.tif 000003
【図２】
2005166377.tif 000004
【図３】
2005166377.tif 000005
【図４】
2005166377.tif 000006
【図５】
2005166377.tif 000007
【図６】
2005166377.tif 000008
【図７】
2005166377.tif 000009
【図８】
2005166377.tif 000010
【図９】
2005166377.tif 000011